(57)【要約】【課題】塵又は他のパーティクルによる障害を低減し、搬送物の付着を実質的に回避するように、タバコ加工産業の搬送コンベヤチェーンにおいて帯電を低減する。【解決手段】タバコ加工産業の機械の搬送コンベヤチェーン（１２）のために形成及び配置され、搬送コンベヤチェーン（１２）が、少なくとも２つの旋回運動を実施可能であり、これら旋回運動の内の第１の旋回運動が、搬送平面に対して垂直な搬送コンベヤチェーン（１２）の運動を可能にし、第２の旋回運動が、搬送平面内での搬送コンベヤチェーン（１２）のカーブ形成を保証し、搬送コンベヤチェーンリンク（１３）が、プラスチック材料から成る、搬送コンベヤチェーンリンク（１３）は、完全に電気伝導性のプラスチック材料から構成されている。これにより、帯電が阻止される。場合によっては生じる帯電は、搬送コンベヤチェーン（１２）が、電気的にアースされた部品と接触すると同時に導き出すことができる。【選択図】        図３
2016108157.tif 000002
【特許請求の範囲】
【請求項１】
タバコ加工産業の機械の搬送コンベヤチェーン（１２）のために形成及び配置され、搬送コンベヤチェーン（１２）が、少なくとも２つの旋回運動を実施可能であり、これら旋回運動の内の第１の旋回運動が、搬送平面に対して垂直な搬送コンベヤチェーン（１２）の運動を可能にし、第２の旋回運動が、搬送平面内での搬送コンベヤチェーン（１２）のカーブ形成を保証し、搬送コンベヤチェーンリンク（１３）が、プラスチック材料から成る、搬送コンベヤチェーンリンク（１３）において、
搬送コンベヤチェーンリンク（１３）が、完全に電気伝導性のプラスチック材料から構成されていること、を特徴とする搬送コンベヤチェーンリンク（１３）。
【請求項２】
搬送コンベヤチェーンリンクが、一体的に形成され、射出成型法で製造されていること、を特徴とする請求項１に記載の搬送コンベヤチェーンリンク（１３）。
【請求項３】
電気伝導性のプラスチック材料が、少なくとも１つの導電性ポリマーを含有するポリマー及び少なくとも１つの電気伝導性の添加剤を含有するポリマーから成るグループから選択された少なくとも１つの材料であること、を特徴とする請求項１又は２に記載の搬送コンベヤチェーンリンク（１３）。
【請求項４】
プラスチック材料が、少なくとも１つの導電性ポリマーを含有するポリマー及び少なくとも１つの電気伝導性の添加剤を含有するポリマーの混合物から成り、これらポリマーが、同じファミリーに属すること、を特徴とする請求項３に記載の搬送コンベヤチェーンリンク（１３）。
【請求項５】
少なくとも１つの電気伝導性の添加剤が、特に炭素繊維、特殊鋼繊維、銅、アルミニウム、導電性カーボンブラック及びグラファイトから成るグループから選択された無機物の添加剤であり、炭素繊維が、特に好ましいこと、を特徴とする請求項３又は４に記載の搬送コンベヤチェーンリンク（１３）。
【請求項６】
電気伝導性のプラスチック材料が、１つの導電性ポリマーを含有するポリマー及び少なくとも１つの電気伝導性の添加剤を含有するポリマーから成り、添加剤として炭素繊維又は特殊鋼繊維又はこれらの混合物が使用されること、を特徴とする請求項３〜５のいずれか１項に記載の搬送コンベヤチェーンリンク（１３）。
【請求項７】
特殊鋼繊維又は炭素繊維の重量比が、１〜６ｗｔ％、好ましくは２〜４ｗｔ％であり、無機物の添加剤の全含有量が、１〜９ｗｔ％、好ましくは２〜８ｗｔ％であり、重量比が、それぞれ電気伝導性のプラスチック材料全体に対するものであること、を特徴とする請求項５又は６に記載の搬送コンベヤチェーンリンク（３）。
【請求項８】
特殊鋼繊維又は炭素繊維が、０．０２〜２０ｍｍ、好ましくは０，０２〜２ｍｍ、特に０．０２〜０．２ｍｍの長さを備えること、を特徴とする請求項５〜７のいずれか１項に記載の搬送コンベヤチェーンリンク（３）。
【請求項９】
プラスチック材料が、熱分解規制に準拠していること、を特徴とする請求項１〜８のいずれか１項に記載の搬送コンベヤチェーンリンク（１３）。
【請求項１０】
搬送コンベヤチェーン（１２）が、軸方向及び半径方向にカーブ形成可能である、タバコ加工産業の機械のための搬送コンベヤチェーン（１２）において、
搬送コンベヤチェーンが、請求項１〜９のいずれか１項に記載の搬送コンベヤチェーンリンク（１３）から成ること、を特徴とする搬送コンベヤチェーン（１２）。
【請求項１１】
チェーンの引張強度に関する運転負荷が、１５００Ｎ、特に１８００Ｎ、特に好ましくは２０００Ｎであること、を特徴とする請求項１０に記載の搬送コンベヤチェーン（１２）。
【請求項１２】
水平方向のカーブ半径が、４００〜８００ｍｍであること、を特徴とする請求項１０又は１１に記載の搬送コンベヤチェーン（１２）。
【請求項１３】
垂直方向の最小転向半径が、５５ｍｍ、好ましくは４５ｍｍであること、を特徴とする請求項１０〜１２のいずれか１項に記載の搬送コンベヤチェーン（１２）。
【請求項１４】
１つの搬送コンベヤチェーン（１２）と少なくとも２つの転向ローラ（１５）から成り、転向ローラの内の少なくとも１つが、駆動ホイール（１６）として形成されている、タバコ加工産業の棒状の物品（３０）を搬送するための装置において、
搬送コンベヤチェーン（１２）が、請求項１０〜１３のいずれか１項に記載の搬送コンベヤチェーン（１２）であり、転向ローラ（１５）が、完全に電気伝導性のプラスチック材料から構成されていること、を特徴とする装置。
【請求項１５】
棒状の物品（３０）のための１つのチェーンコンベヤを有し、このチェーンコンベヤが、無限に回動する１つの搬送コンベヤチェーン（１２）と少なくとも２つの転向ローラ（１５）を有し、転向ローラの内の少なくとも１つが、駆動ホイール（１６）として形成され、転向ローラの周りをチェーン（１２）が案内されている、タバコ加工産業の棒状の物品（３０）のための搬送及び／又は貯蔵システムにおいて、
チェーンが、請求項１０〜１３のいずれか１項に記載の搬送コンベヤチェーン（１２）であること、を特徴とする搬送及び／又は貯蔵システム。
【発明の詳細な説明】
【技術分野】
【０００１】
本発明は、タバコ加工産業の機械の搬送コンベヤチェーンのために形成及び配置され、搬送コンベヤチェーンが、少なくとも２つの旋回運動を実施可能であり、これら旋回運動の内の第１の旋回運動が、搬送平面に対して垂直な搬送コンベヤチェーンの運動を可能にし、第２の旋回運動が、搬送平面内での搬送コンベヤチェーンのカーブ形成を保証し、搬送コンベヤチェーンリンクが、プラスチック材料から成る、搬送コンベヤチェーンリンクに関する。
【０００２】
更に本発明は、チェーンが、軸方向及び半径方向にカーブ形成可能である、タバコ加工産業の機械のための搬送コンベヤチェーンに関する。
【０００３】
更に本発明は、１つの搬送コンベヤチェーンと少なくとも２つの転向ローラから成り、転向ローラの内の少なくとも１つが、駆動ホイールとして形成されている、タバコ加工産業の棒状の物品を搬送するための装置に関する。
【０００４】
最後に本発明は、棒状の物品のための１つのチェーンコンベヤを有し、このチェーンコンベヤが、無限に回動する１つの搬送コンベヤチェーンと少なくとも２つの転向ローラを有し、転向ローラの内の少なくとも１つが、駆動ホイールとして形成され、転向ローラの周りをチェーンが案内されている、タバコ加工産業の棒状の物品のための搬送及び／又は貯蔵システムに関する。
【背景技術】
【０００５】
搬送コンベヤチェーンは、タバコ加工産業の領域では、棒状の物品、特にシガレット又はフィルタ棒を個々に又は好ましくは横軸方向に多層にマスフローの形態で搬送及び／又は貯蔵するために使用される。
【０００６】
このようなコンベヤチェーンは、例えば“先入れ先出し”の原理により作動する貯蔵器（ＦｉＦｏ貯蔵器）の構成要素である。対応する貯蔵器は、例えば欧州特許第１  ４４５  ２１８号明細書から公知である。更にこのようなコンベヤチェーンは、貯蔵機能を有しない純粋な搬送装置の形態でも、特にタバコ加工産業の設備の個々のステーションの間で使用される。物品の確実な搬送を保証し、例えば物品による高い負荷に基づいた垂れ下がりを補償し得るように、コンベヤチェーンは、テンション付与装置によって張力Ｆでテンションを付与されている。個々のチェーンリンクは、大抵はボルトを介してヒンジ連結式に互いに結合されている。コンベヤチェーン自身は、無端に形成され、転向ローラ及び／又は駆動ホイールの周りにループ状に案内されている。この場合コンベヤチェーンは、１つの平面内又は上下に配置された複数の平面内を案内することができる。例えばＦｉＦｏ貯蔵器内で、コンベヤチェーンは、複数の平面にわたって回動する。こうして、コンベヤチェーンは、１００ｍ以上の長い長さを備えることがある。
【０００７】
搬送コンベヤチェーンは、通常多層で搬送コンベヤチェーン上に位置する多数の物品に基づいて高い負荷を受けている。これは、搬送方向にも搬送方向に対して垂直にも大きい荷重が搬送コンベヤチェーンに作用することを意味する。搬送コンベヤチェーンに対する負荷は、このような搬送コンベヤチェーンが、例えばＦｉＦｏ貯蔵器内で複数の平面にわたって回動することによって、更に高められる。前記のように、搬送コンベヤチェーンは、１００ｍ以上の長い長さを備え、これにより、このような搬送コンベヤチェーンの自重は、付加的な負荷よりも非常に高い。これにより、搬送コンベヤチェーンの非常に高い張力を必要とする長い長さ以外に、搬送コンベヤチェーンのその満載時に可能な負荷も高まる。従って、個々のチェーンリンクに対する要求は高い。各チェーンリンク及び個々のリンクの互いの各結合部は、搬送コンベヤチェーンが切れないように、負荷に耐える必要がある。
【０００８】
従ってタバコ加工産業での搬送コンベヤチェーンは、通常はポリブチレンテレフタレート（ＰＢＴ）、ポリオキシメチレン（ＰＯＭ、ポリアセタールとも呼ばれる）、ポリエチレンテレフタレート（ＰＥＴ）、ポリエチレン（ＰＥ）又はポリウレタン（ＰＵＲ）、これらのコポリマー又はこれらを使用した化合物のようなプラスチックから成る。
【０００９】
使用時に、搬送コンベヤチェーンは、多くの摩擦プロセスの支配下にある。こうして、個々のチェーン要素が互いにこすれ、更にチェーンが転向ローラと接触した時に摩擦が生じる。搬送コンベヤチェーンに棒状の物品を載せた時も、摩擦が生じる。搬送コンベヤチェーン及び転向ローラがプラスチック材料から製造されており、プラスチックが誘電性の材料であるので、摩擦によって持続的に帯電が生じる。この帯電は、塵、細菌及び細菌に抵抗力のない、例えばフィルタ棒のような搬送物が搬送コンベヤチェーンに付着することを生じさせ、これが、更なる搬送プロセス中に障害となり得る。また、帯電は、搬送すべき物品が、搬送コンベヤチェーンから去るべき時に、搬送コンベヤチェーンから剥がすのが困難でしかなかったり、剥がれなかったりすることを生じさせることもある。環境空気が乾燥するほど、生じる帯電は大きくなる。
【先行技術文献】
【特許文献】
【００１０】
【特許文献１】欧州特許第１  ４４５  ２１８号明細書
【発明の概要】
【発明が解決しようとする課題】
【００１１】
従って本発明の根底にある課題は、塵又は他のパーティクルによる障害を低減し、搬送物の付着を実質的に回避するように、タバコ加工産業の搬送コンベヤチェーンにおいて帯電を低減することにある。
【課題を解決するための手段】
【００１２】
この課題は、冒頭で述べた形式の搬送コンベヤチェーンリンクによれば、搬送コンベヤチェーンリンクが、完全に少なくとも１つの電気伝導性のプラスチック材料から構成されていることによって解決される。このようにして、帯電の発生が既に阻止される。場合によってはそれにもかかわらず生じる帯電は、搬送コンベヤチェーンが、電気的にアースされた部品、例えば支持レール又は支持板と接触すると同時に導き出される。統一的な材料からのチェーンリンクの完全な形成により、生じ得る不安定−これは、材料移行によって必然的に生じる−が回避される。この場合、本発明の意味での電気伝導性のプラスチックは、少なくとも１０−１０Ｓｃｍ−１の電気伝導率を備えるプラスチックである。
【００１３】
チェーンリンク全体が電気伝導性の材料から成ることによって更に、生じるどのような帯電も導き出し得ることが保証される。搬送コンベヤチェーンによって搬送すべき物品は、チェーンリンク上に広範囲に載置されている。従って、局所的に過ぎない電気伝導性、即ちチェーンリンクの一部だけが電気伝導性であるのでは不十分であり、金属のピン又は他の金属の構成要素をチェーンリンク内又はその間に使用するバリエーションもほとんどない。
【００１４】
搬送コンベヤチェーンリンクが、一体的に形成され、射出成型法で製造されている場合が、特に好ましい。一体的な形成は、同様に、チェーンリンク自身に不所望の基準破断箇所が存在しないことを提供し、これにより安定性を高めるように作用する。射出成型法は、搬送コンベヤチェーンリンクの製造の特に簡単かつ安価な形式であり、形状的な制限なくチェーンリンクの任意の成形を可能にする。
【００１５】
電気伝導性のプラスチック材料が、少なくとも１つの導電性ポリマーを含有するポリマー及び少なくとも１つの電気伝導性の添加剤を含有するポリマーから成るグループから選択された少なくとも１つの材料である場合が、好ましい。電気伝導性の添加剤は、特に好適には、特に炭素繊維、特殊鋼繊維、銅、アルミニウム、導電性カーボンブラック及びグラファイトから成るグループの少なくとも１つの物質から選択された無機物の添加剤とすることができ、炭素繊維が、特に好ましい。電気伝導性の添加剤として炭素繊維が使用される場合については、１０〜４０ｖｏｌ％、特に２０〜３０ｖｏｌ％の割合が特に好ましい。アルミニウムチップの場合には、１０〜２０ｖｏｌ％、特に１３〜１８ｖｏｌ％のプラスチック内の割合が特に好ましく、特殊鋼繊維の場合には、０．１〜５ｖｏｌ％、特に０．４〜２ｖｏｌ％の割合が特に好ましい。
【００１６】
導電性ポリマーは、金属の電気伝導率と比較可能な電気伝導率を有するプラスチックである。従来のプラスチックに対して著しく高い電気伝導率を除いて、導線性ポリマーは、その他に、例えば可塑性、破壊強度、形態安定性、衝撃靱性、滑り特性及び摩耗特性のようなその既知のプラスチック特性を備える。金属繊維のような付加的な要素を導入する必要がないので、このような添加物がチェーンリンクから析出され、搬送すべき物品内に達し得るとの危険もない。導電性ポリマーの割合は、好ましくは２〜４０、特に５〜３０、特に好ましくは７〜２５、全く特に好ましくは１０〜１７、特に１２〜１６ｗｔ％である。
【００１７】
プラスチック材料が、導電性ポリマーと非導電性ポリマーの混合物から製造される場合が、好ましい。
【００１８】
プラスチック材料が、少なくとも１つの導電性ポリマーを含有するポリマー及び少なくとも１つの電気伝導性の添加剤を含有するポリマーの混合物から成る場合が、特に好ましい。しかしながらまた、少なくとも１つの導電性ポリマーを含有するポリマーに電気伝導性の添加剤を添加することも考えられる。
【００１９】
ポリマー、即ち導電性のポリマーを含有するポリマー及び電気伝導性の添加剤を含有するポリマーは、同じファミリーに属する。この場合、同じファミリーとして、例えば種々のテレフタレート又は種々のポリウレタンが、それぞれ考えられる。
【００２０】
別の好ましい形成では、電気伝導性のプラスチック材料が、１つの電気伝導性の添加剤又は２つの電気伝導性の添加剤を含有する。１つの導電性ポリマーを含有するポリマー及び１つの電気伝導性の添加剤又は２つの電気伝導性の添加剤を含有する別のポリマーから成る電気伝導性のプラスチックが特に好適であるとわかった。特に良好な結果は、別のポリマーとして炭素繊維又は特殊鋼繊維又は炭素繊維と特殊鋼繊維の混合物が含まれている場合に得ることができる。
【００２１】
この場合、特殊鋼繊維又は炭素繊維の重量比は、１〜６ｗｔ％、好ましくは２〜４ｗｔ％であり、無機物の添加剤の全含有量が、１〜９ｗｔ％、好ましくは２〜８ｗｔ％であり、重量比は、それぞれ電気伝導性のプラスチック材料全体、即ち搬送コンベヤチェーンリンクの全材料両に対するものである場合が、好ましい。
【００２２】
特殊鋼繊維及び炭素繊維としては、０．０２〜２０ｍｍ、好ましくは０，０２〜２ｍｍ、特に０．０２〜０．２ｍｍの長さを備える場合が、特に好適である。
【００２３】
電気伝導性の添加剤として、導電性カーボンブラック使用される場合、この導電性カーボンブラックは、好ましいことに３ｗｔ％未満、特に２ｗｔ％未満の重量比で含有されている。驚くべきことに、カーボンブラックが通常プラスチック材料の引張強度を著しく低下させるにもかかわらず、本発明によるプラスチック材料によって、タバコ加工産業の機械の搬送コンベヤチェーンのチェーンリンクにおける冒頭で述べた負荷を勘案して提起された特別な要求に対応可能で、同時に従来技術のチェーンコンベヤリンクに対して大いに低下させた搬送される棒状の物品の付着時間及び付着強さを備える搬送コンベヤチェーンリンクを製造することができる。
【００２４】
搬送コンベヤチェーンリンクのプラスチック材料が、熱分解規制に準拠している場合が、有利である。例えば４００℃〜１０００℃の範囲内の温度での燃焼時に有害物質を遊離させない材料が、熱分解規制に準拠している。熱分解規制に準拠しているものとして、特に、塩素又はフッ素のようなハロゲンを含有しないこのようなプラスチックと理解する。
【００２５】
この場合、搬送コンベヤチェーンリンクのための好ましいプラスチック材料は、ポリブチレンテレフタレート（ＰＢＴ）、ポリオキシメチレン（ＰＯＭ、ポリアセタールとも呼ばれる）、ポリエチレンテレフタレート（ＰＥＴ）又はポリスチロール（ＰＳ）、これらのコポリマー又はこれらを使用した化合物であり、導電性の成分及び非導電性の成分から成る混合物の形態である。
【００２６】
この場合、搬送コンベヤチェーンリンクが、導電性ポリマーとしてのポリオキシメチレン及びポリブチレンテレフタレートから成る場合が、全く特に好ましく、導電性ポリマーの割合は、好ましくは５〜３０、特に好ましくは７〜２５、全く特に好ましくは１０〜１７ｗｔ％である。
【００２７】
更に本発明は、チェーンが、軸方向及び半径方向にカーブ形成可能である、タバコ加工産業の機械のための搬送コンベヤチェーンに関するが、この搬送コンベヤチェーンは、本発明による搬送コンベヤチェーンリンクから成る。このような搬送コンベヤチェーンは、タバコ加工産業での使用のために特に適している。チェーンリンクが完全に電気伝導性のプラスチック材料から構成されていることにより、電気伝導性がベース材料に導入されている。電気伝導性は、均質に分配され、全ての面で測定可能である。電荷の導出は、チェーンが通過する各箇所で、例えば電気伝導性のガイド／滑りレールによって、行なうことができる。転向ローラ及び駆動ホイールも電気伝導性のプラスチック材料から構成されていることによって、転向ローラ又は駆動ホイールを介する導出が行なわれると、特に好ましい。
【００２８】
従って本発明は更に、１つの搬送コンベヤチェーンと少なくとも２つの転向ローラから成り、転向ローラの内の少なくとも１つが、駆動ホイールとして形成されている、タバコ加工産業の棒状の物品を搬送するための装置に関するが、搬送コンベヤチェーンは、本発明による搬送コンベヤチェーンであり、転向ローラは、完全に電気伝導性のプラスチック材料から構成されている。
【００２９】
搬送コンベヤチェーン及び転向ローラは、同じ材料から成る。搬送コンベヤチェーン及び転向ローラが異なった電気伝導性のプラスチック材料から成ることも可能である。好ましいことに、これら材料は、異なった硬さを備えることができ、転向ローラが、搬送コンベヤチェーンよりも軟質の材料から成る場合が好ましいが、それは、転向ローラは、搬送コンベヤチェーンよりも簡単に交換することができるからである。
【００３０】
本発明による搬送コンベヤチェーンは、カーブ形成可能である。搬送コンベヤチェーンは、一種類のチェーンリンクから成っていてもよい。しかしながら、チェーンを、２つ以上の異なった種類のチェーンリンクから、例えば支持リンク及び結合リンクから構成することも可能である。この場合、全ての種類のチェーンリンクが、本発明により形成さている、即ち完全に１つの電気伝導性のプラスチック材料から構成されている。
【００３１】
搬送コンベヤチェーンリンク、複数の異なったチェーンリンクから構成される場合は支持リンク、は、搬送すべき物品を収容するために、例えば平坦な表面によって形成されている。搬送コンベヤチェーンもしくはその−場合によっては中間リンクを介して結合された−搬送コンベヤチェーンリンクは、少なくとも２つの旋回運動が実施できるように形成されている。第１の旋回運動は、搬送平面もしくは駆動平面に対して垂直なコンベヤチェーンの運動を可能にし、これにより、コンベヤチェーンは、特に勾配を克服し、（物品を有しない）コンベヤチェーンのもしくは返還もしくは環流を保証する状況にある。
【００３２】
第２の旋回運動は、搬送平面もしくは駆動平面内でのコンベヤチェーンのカーブ形成を保証するために必要である。換言すれば、搬送コンベヤチェーンは、搬送コンベヤチェーンが水平に整向されている時に、搬送平面内（この平面内に、搬送コンベヤチェーンは物品を備えることができる）でカーブすることを可能にする。
【００３３】
本発明による搬送コンベヤチェーンの場合、好ましい実施形態では、搬送コンベヤチェーンの引張強度に関する運転負荷が、１５００Ｎ、特に１８００、特に好ましくは２０００Ｎであることが可能である。上で述べたように、搬送コンベヤチェーンは、タバコ加工産業の設備内で特に負荷にさらされている。これは特に、例えばＦｉＦｏ貯蔵器内で使用されるような長い搬送コンベヤチェーンである場合に当て嵌まる。
【００３４】
短い搬送コンベヤチェーンの場合は、例えばしばしば１〜１０ｍの長さしかない設備の個々の機械又はステーションの間の搬送のための使用に関しては、搬送コンベヤチェーンの引張強度に関する運転負荷が３００Ｎまでであり、破壊荷重が８００Ｎまでである。
【００３５】
本発明による搬送コンベヤチェーンのピッチは、好ましいことに２．５４ｃｍ（１インチ）である。有利なことに、フィルタ棒に対して適用するために、搬送コンベヤチェーンの幅は、１５０〜２３０ｍｍである。しかしながらフィルタ棒は、フィルタシガレットに対して適用する時には３６〜９８ｍｍであり得る。
【００３６】
好ましいことに、搬送コンベヤチェーンの水平方向のカーブ半径は、少なくとも５００ｍｍ、特に好ましくは少なくとも６００ｍｍ、特に少なくとも７５０ｍｍである。この場合“水平方向のカーブ半径”とは、コンベヤチェーン平面もしくは搬送平面内のカーブの半径と理解する。
【００３７】
加えて、搬送コンベヤチェーンの垂直方向の最小転向半径は、せいぜい５５ｍｍ、好ましくはせいぜい５０ｍｍ、特にせいぜい４５ｍｍである。垂直方向の転向半径は、垂直方向の転向ローラ、即ち水平な軸を備えるローラ、の半径であり、軸は、搬送コンベヤチェーンに対して平行で、搬送方向に対して垂直に位置する。
【００３８】
最後に本発明は、棒状の物品のための１つのチェーンコンベヤを有し、このチェーンコンベヤが、無限に回動する１つの搬送コンベヤチェーンと少なくとも２つの転向ローラを有し、転向ローラの内の少なくとも１つが、駆動ホイールとして形成され、転向ローラの周りをチェーンが案内されている、タバコ加工産業の棒状の物品のための搬送及び／又は貯蔵システムに関するが、チェーンは、本発明による搬送コンベヤチェーンである。このような本発明による搬送及び／又は貯蔵システムの場合、塵の堆積及びこれと結びついた摩耗を低減することができる。加えて、搬送すべき物品が搬送プロセス内でコントロールされずに落下することがないことがもたらされる。コントロールされない落下は、物品が例えば搬送コンベヤチェーンを去るべきであるが、帯電に基づいてチェーンに付着したままで、これにより所定の時点ではなくコントロール可能でない時点でチェーンを去る場合に生じる。同じ理由から、意図しない物品の混合も回避される。搬送コンベヤチェーンリンク又は搬送コンベヤチェーンに関して説明した利点が、相応に本発明による搬送及び／又は貯蔵システムに対しても当て嵌まる。
【００３９】
別の合目的及び／又は有利な特徴及び形成は、従属請求項及び説明からわかる。特に好ましい実施形態及び処理原理を、添付図に基づいて詳細に説明する。
【図面の簡単な説明】
【００４０】
【図１】タバコ加工産業の棒状の物品のための搬送システムの斜視図
【図２】タバコ加工産業の貯蔵装置の斜視図
【図３】図２による貯蔵装置の一部、即ち第１の実施形態のコンベヤチェーンの駆動ホイールの領域
【図４】搬送コンベヤチェーンリンクの１つの実施形態の斜視図
【図５】転向及び駆動ホイール上に搬送コンベヤチェーン部分を有する搬送ユニットの斜め上から見た斜視図
【図６】部分的に断面にした図５の搬送ユニットの側面図
【発明を実施するための形態】
【００４１】
図面に図示した実施形態は、タバコ加工産業の棒状の物品の搬送もしくは貯蔵をするために使用される。こうして図１は、本発明による搬送コンベヤチェーンの好ましい適用を、即ちタバコ加工産業の２つの処理機械の間でタバコ加工産業の物品を搬送するための適用を示す。図２により、本発明による搬送コンベヤチェーン１２の別の好ましい適用を、即ちいわゆるＦｉＦｏ貯蔵器１１を説明するが、本発明は、ＦｉＦｏ貯蔵器での適用に限定されない。
【００４２】
以下で説明する特徴及び特徴の組み合わせは、単独でも、示した組合せとは違う組合せでも実現することができる。
【００４３】
図１には、本発明による搬送システムが概略的に図示されている。この場合、図１は、シガレット又はフィルタのような棒状の物品３０をタバコ加工産業の第１の処理機械１０ａから第２の処理機械１０ｂに搬送する搬送コンベヤチェーン１２の一部を示す。図示のため、搬送コンベヤチェーン１２上を搬送される棒状の物品３０の小部分が示されているに過ぎない。実際には、通常、搬送コンベヤチェーン１２全体が、棒状の物品３０で多層に覆われている。しかしながらまた、個々の棒状に物品３０が互いに間隔を置いて搬送コンベヤチェーン１２上を搬送される他の実施形態も考えられる。搬送コンベヤチェーン１２は、個々の搬送コンベヤチェーンリンク１３から成る。これら搬送コンベヤチェーンリンクは、搬送すべき物品３０を収容するために平坦な表面を備える。搬送コンベヤチェーンリンク１３は、完全に電気伝導性のプラスチック材料から成る。このようにして、搬送コンベヤチェーンリンク１３の互いの摩擦、搬送コンベヤチェーン１２上の棒状の物品３０の摩擦又は転向ローラと搬送コンベヤチェーンリンク１３の摩擦による帯電の発生が著しく低減される。搬送コンベヤチェーンリンク１３は、搬送コンベヤチェーン１２を構成するためにヒンジ連結式に互いに結合され、しかも、搬送コンベヤチェーンリンクが一方で搬送平面もしくは駆動平面に対して垂直な搬送コンベヤチェーン１２の旋回運動を可能にするようにされており、これにより、搬送コンベヤチェーンは、図１の左側の領域に示したように特に勾配を克服する状況にある。他方で、第２の旋回運動は、図１内のコンベヤチェーンのＳ字形状によって図示されているように、搬送平面もしくは駆動平面内での搬送コンベヤチェーン１２のカーブ形成を保証する。
【００４４】
図２及び３には、棒状の物品、例えばシガレット又はフィルタ棒の移送及び貯蔵をするための貯蔵装置１１（以下では貯蔵器とも呼ばれる）が図示されている。貯蔵器１１は、無限に回動する搬送コンベヤチェーン１２を有する。この場合、搬送コンベヤチェーン１２は、その上で搬送コンベヤチェーンが物品を運び得る搬送区間と、その上で搬送コンベヤチェーンが物品を運び得ない返還区間を備える。搬送区間は、搬送平面又は駆動平面を構成し、この平面内で、物品は、平らに（即ち水平に）又は僅かな勾配で搬送することができる。返還区間は、搬送コンベヤチェーン１２上に物品がないので、鋭い転向（例えば９０°）を備えることもできる。角度をもって、特に搬送平面もしくは駆動平面に対して垂直な転向もしくは旋回運動以外に、搬送平面もしくは駆動平面に対して垂直に延在する（仮想の）軸を中心とする転向もしくは曲折が可能である。この転向もしくは曲折は、カーブ形成とも呼ばれる。コンベヤチェーン１２は、それぞれ完全に電気伝導性のプラスチック材料から構成された個々の搬送コンベヤチェーンリンク１３から成る。搬送コンベヤチェーンリンク１３は、搬送コンベヤチェーン１２を構成するためにヒンジ連結式に互いに結合されている。通常、搬送コンベヤチェーンリンク１３は、リンクピン１４を介して互いに結合されている。例えばピン、フック又は他の適当な結合手段を介する搬送コンベヤチェーンリンク１３の結合も可能である。搬送コンベヤチェーン１２自身は、複数の転向ローラ１５と少なくとも１つの駆動ホイール１６の周りを案内されている。転向ローラ１５と駆動ホイール１６のどちらも、電気伝導性のプラスチックから成る。駆動ホイール１６は、既知の歯数を有する歯付ホイールである。更に、貯蔵装置１１搬送コンベヤチェーン１２のためのテンション付与装置１７を有する。このテンション付与装置１７は、搬送コンベヤチェーン１２に張力Ｆを加えるためにテンション付与手段１８を備える。既に前で述べたように、貯蔵装置１１は、模範的にのみ言及されている。本発明は、単純な搬送装置、貯蔵手段又は移送ユニットの場合でも、無限に回動する搬送コンベヤチェーン１２を適用することができる。
【００４５】
搬送コンベヤチェーンリンク１３は、リンクピン１４によってヒンジ連結式に互いに結合されている。好ましいことに、リンクピン１４は、プラスチック又はスチール、特に電気伝導性のプラスチック又はスチールから製造されている。２つのリンクピン１４の間の間隔Ａは、搬送コンベヤチェーン１２のピッチを決定する。例えばそれぞれ先行する搬送コンベヤチェーンリンク１３のエッジの間隔又は搬送コンベヤチェーンリンク１３の間の“ギャップ”のような他の指標も、搬送コンベヤチェーン１２のピッチを決定する。
【００４６】
図４は、搬送コンベヤチェーンリンク１３の１つの実施形態の斜視図を示す。搬送コンベヤチェーンリンク１３は、完全に電気伝導性のプラスチック材料から構成されている。搬送コンベヤチェーンリンク１３は、リンクピン１４を保持するための収容部２１とリンクピン受け部１９とを有する。リンクピン１４により、複数の搬送コンベヤチェーンリンク１３をタバコ加工産業の機械のための１つの搬送コンベヤチェーン１２に結合することができる。搬送コンベヤチェーンリンク１３の基体２２には、横にプレート状の２つの支持要素２０が装着されている。支持要素２０及び基体２２の整列した表面から成る、リンク平面に対して平行に整向された搬送コンベヤチェーンリンク１３の支持面２５は、棒状のタバコ製品、特にシガレットを支持するために使用される。搬送コンベヤチェーンリンク１３の支持面２５上に、移送すべきタバコ製品又はフィルタ製品のための細長いプッシャ２６が設けられている。プッシャ２６、例えば材料隆起部等は、好ましいことに搬送方向に対して横に延在し、一貫していても、中断されていてもよい。プッシャ２６は、好ましいことに物品３０のガイド及び整向のため並びに支持面２５上の物品３０の保持のために使用される。
【００４７】
図５及び６は、転向及び駆動ホイール１６上に搬送コンベヤチェーン１２の一部を有する本発明による搬送ユニットを示す。通常は無端に形成されたコンベヤチェーン１２は、複数のチェーンリンク１３ａ，１３ｂから構成され、それぞれ１つの支持リンク１３ａ及び中間リンク１３ｂが１つのチェーンリンクを構成する。各支持リンク１３ａは、２つの支持面２５を備え、これら支持面は、ウェブ２７を介して互いに結合されている。支持面２５は、図示した形態等は違う形態を備えることもできる。支持面は、例えば搬送方向に向かい合う側に一種の歯切り部を、隣接する支持面２５が互いに噛み合うように備えることができる。これにより、搬送すべき物品のための載置面が拡大され、隣接するチェーンリンクの個々の支持面２５の間の隙間が閉じられる。支持面２５の領域には、支持面の物品の側にプッシャを形成することができる。プッシャ、例えば材料隆起部等は、好ましいことに搬送方向に対して横に延在し、一貫していても、中断されていてもよい。プッシャは、好ましいことに物品３０のガイド及び整向のため並びに支持面２５上の物品３０の保持のために使用される。
【００４８】
図４に示した搬送コンベヤチェーンリンク１３場合は、１つの種類の搬送コンベヤチェーンリンク１３が１つの搬送コンベヤチェーン１２に組み立てられるが、図５及び６に示した実施形態の場合は、異なった２つの種類のチェーンリンク１３ａ，１３ｂが存在し、これらチェーンリンクが、交互に組み立てられて１つの搬送コンベヤチェーン１２を構成する。支持リンク１３ａ及び中間リンク１３ｂは、互いに交互に並べられ、可動に互いに結合されている。このため、中間リンク１３ｂは、支持リンク１３ａに配置されたリンクピン１４の領域内で、ヒンジ連結式に支持リンク１３ａに配置されている。この場合は特に、支持リンク１３ａは、好ましいことに加えて中間リンク１３ｂも、完全に電気伝導性のプラスチック材料から構成されている。このように形成された搬送コンベヤチェーン１２は、好ましいことに２つの歯付きディスク２３を有するいわゆる二重ホイールとして形成された１つ又は複数の駆動ホイール１６によって連続的又は断続的に駆動可能である。この場合駆動ホイール１６は、好ましいことに電気伝導性のプラスチック材料から構成されている。この場合、１つの又は各駆動ホイール１６は、歯２４等によって−自転車チェーンの原理と同様に−支持リンク１３ａの間へ食い込む。１つ又は各駆動ホイール１６の軸Ａは、実質的に搬送平面もしくは駆動平面に対して平行に延在する。既に述べたように、コンベヤチェーン１２は、カーブ形成可能に形成されている。
【符号の説明】
【００４９】
１０ａ    第１の処理機械
１０ｂ    第２の処理機械
１１      ＦｉＦｏ貯蔵器もしくは貯蔵装置
１２      搬送コンベヤチェーン
１３      搬送コンベヤチェーンリンク
１３ａ    支持リンク
１３ｂ    中間リンク
１４      リンクピン
１５      転向ローラ
１６      駆動ホイール
１７      テンション付与装置
１８      テンション付与手段
１９      リンクピン受け部
２０      支持要素
２１      収容部
２２      基体
２３      歯付きディスク
２４      歯
２５      支持面
２６      プッシャ
２７      ウェブ
３０      棒状の物品
【図１】
2016108157.tif 000003
【図２】
2016108157.tif 000004
【図３】
2016108157.tif 000005
【図４】
2016108157.tif 000006
【図５】
2016108157.tif 000007
【図６】
2016108157.tif 000008
【手続補正書】
【提出日】平成27年12月10日(2015.12.10)
【手続補正１】
【補正対象書類名】図面
【補正対象項目名】全図
【補正方法】変更
【補正の内容】
【図１】
2016108157.tif 000009
【図２】
2016108157.tif 000010
【図３】
2016108157.tif 000011
【図４】
2016108157.tif 000012
【図５】
2016108157.tif 000013
【図６】
2016108157.tif 000014
【手続補正書】
【提出日】平成28年3月15日(2016.3.15)
【手続補正１】
【補正対象書類名】特許請求の範囲
【補正対象項目名】請求項７
【補正方法】変更
【補正の内容】
【請求項７】
特殊鋼繊維又は炭素繊維の重量比が、１〜６ｗｔ％、好ましくは２〜４ｗｔ％であり、無機物の添加剤の全含有量が、１〜９ｗｔ％、好ましくは２〜８ｗｔ％であり、重量比が、それぞれ電気伝導性のプラスチック材料全体に対するものであること、を特徴とする請求項５又は６に記載の搬送コンベヤチェーンリンク（１３）。
【手続補正２】
【補正対象書類名】特許請求の範囲
【補正対象項目名】請求項８
【補正方法】変更
【補正の内容】
【請求項８】
特殊鋼繊維又は炭素繊維が、０．０２〜２０ｍｍ、好ましくは０，０２〜２ｍｍ、特に０．０２〜０．２ｍｍの長さを備えること、を特徴とする請求項５〜７のいずれか１項に記載の搬送コンベヤチェーンリンク（１３）。
【手続補正３】
【補正対象書類名】図面
【補正対象項目名】図３
【補正方法】変更
【補正の内容】
【図３】
2016108157.tif 000015